(57)【要約】  マルチメディアコンテンツアイテムを取得し、グラフィックユーザインターフェイスを介して関連アイテム情報を定義し、これらのアイテム及び関連アイテム情報を、関連アイテム情報を保持する選択した宛先に転送することによってマルチメディアコンテンツアイテムを自動的に操作して共有するためのシステム、方法及びコンピュータプログラム製品を提供する。関連アイテム情報は、転送制約及び宛先要件を含むメタデータ及びコレクション定義を含む。実施形態は、ネットワーク接続が可能なコンピュータ及びカメラ上に実装することができ、電子メールアカウント、アーカイブ、ソーシャルネットワーク及びコンテンツ公開サイトにコンテンツを転送することができる。グラフィックユーザインターフェイスは、簡単かつ高速に使用するための特定機能領域を含む。宛先は、名前及びロゴによって識別され、また最終宛先要件を動的に更新し、さらなる転送に応答して適合する交換サーバを含むことができる。転送は、即時に、又は要求に応じて、又は装置のネットワーク接続時に行うことができ、グラフィックユーザインターフェイスを実装するためのコンピュータ実行可能プログラム命令を含むことができる。【選択図】なし【特許請求の範囲】
【請求項１】
マルチメディアコンテンツアイテムを自動的に操作して共有する、コンピュータによる実施方法であって、
マルチメディアコンテンツアイテムを取得するステップと、
グラフィックユーザインターフェイスのユーザが関連アイテム情報を定義するステップと、
前記マルチメディアコンテンツアイテム及び前記関連アイテム情報を、該関連アイテム情報を保持する選択した宛先に転送するステップと、
を含むことを特徴とする方法。
【請求項２】
前記マルチメディアコンテンツアイテムが、テキストファイル、写真、ビデオ、オーディオファイル、ＨＴＭＬファイル、混合メディア表現、ＰＤＦ文書、実行可能プログラムファイル、及びデータベースファイルのうちの少なくとも１つを含む、
ことを特徴とする請求項１に記載の方法。
【請求項３】
前記マルチメディアコンテンツアイテムが、カメラ、電話機、スキャナ、記憶装置、電子メール、ネットワーク、及びコンピュータのうちの少なくとも１つから取得される、
ことを特徴とする請求項１に記載の方法。
【請求項４】
前記マルチメディアコンテンツアイテムを、字幕を加えること、日付を加えること、注釈を加えること、アイテムを切り取ること、アイテムのファイルサイズを減らすこと、及びアイテムの継続時間を減らすことのうちの少なくとも１つによって編集するステップをさらに含む、
ことを特徴とする請求項１に記載の方法。
【請求項５】
前記定義するステップが、メタデータを加えるステップ、及びマルチメディアコンテンツアイテムコレクションの構成を指定するステップの少なくとも一方を含む、
ことを特徴とする請求項１に記載の方法。
【請求項６】
前記メタデータを加えるステップが、字幕を加えるステップ、日付を加えるステップ、注釈を加えるステップ、自動的に認識された顔に名前を加えるステップのうちの少なくとも１つを含む、
ことを特徴とする請求項５に記載の方法。
【請求項７】
前記構成を指定するステップが、特定のマルチメディアコンテンツアイテムを選択するステップ、添付順を決定するステップ、転送制約を設定するステップ、及び宛先制約を定義するステップのうちの少なくとも１つを含む、
ことを特徴とする請求項５に記載の方法。
【請求項８】
前記グラフィックユーザインターフェイスが、前記マルチメディアコンテンツアイテムをアイコン及びサムネイルの少なくとも一方として示す、
ことを特徴とする請求項１に記載の方法。
【請求項９】
前記マルチメディアコンテンツアイテム及び前記関連アイテム情報が、前記グラフィックユーザインターフェイス内にコレクショントークンによって表される、
ことを特徴とする請求項１に記載の方法。
【請求項１０】
前記グラフィックユーザインターフェイスが、タッチスクリーン装置、非ネットワークカメラ、ネットワークカメラ、非ネットワークコンピュータ、及びネットワークコンピュータのうちの少なくとも１つに実装される、
ことを特徴とする請求項１に記載の方法。
【請求項１１】
前記グラフィックユーザインターフェイスが、メインステージ、フィルタ領域、コレクション組み立て領域、ユーザ案内領域、持続的状況依存動作ボタン、及び宛先容器付き共有ドックのうちの少なくとも１つを含む特定機能領域を含む、
ことを特徴とする請求項１に記載の方法。
【請求項１２】
前記宛先容器が、名前及びロゴの少なくとも一方によって識別される、
ことを特徴とする請求項１１に記載の方法。
【請求項１３】
前記転送するステップが、マルチメディアコンテンツアイテム及びコレクショントークンの少なくとも一方を宛先容器内に移動させるステップと、時間ベースのトリガ及び接続ベースのトリガの少なくとも一方を定めるユーザが定義した転送制約を選択的に満たすステップとを含む、
ことを特徴とする請求項１に記載の方法。
【請求項１４】
前記宛先が、公的サイト、私的サイト、電子メールアカウント、ソーシャルネットワークサイト、コンテンツ公開サイト、交換サーバ、及びアーカイブのうちの少なくとも１つを含む、
ことを特徴とする請求項１に記載の方法。
【請求項１５】
前記宛先が、独自の制約を有する追加の宛先への追加の転送を自動的に管理する交換サーバである、
ことを特徴とする請求項１に記載の方法。
【請求項１６】
前記グラフィックユーザインターフェイスを実装するためのコンピュータ実行可能プログラム命令を、第１のコンピュータ装置から第２のコンピュータ装置へ転送するステップをさらに含む、
ことを特徴とする請求項１に記載の方法。
【請求項１７】
マルチメディアコンテンツアイテムを自動的に操作して共有するためのシステムであって、
入力されたマルチメディアコンテンツアイテムを取得するコンピュータ装置と、
ユーザが関連アイテム情報を定義するためのグラフィックユーザインターフェイスと、
前記マルチメディアコンテンツアイテム及び前記関連アイテム情報を、該関連アイテム情報を保持する選択した宛先に転送するためのネットワーク接続と、
を備えることを特徴とするシステム。
【請求項１８】
前記マルチメディアコンテンツアイテムが、テキストファイル、写真、ビデオ、オーディオファイル、ＨＴＭＬファイル、混合メディア表現、ＰＤＦ文書、実行可能プログラムファイル、及びデータベースファイルのうちの少なくとも１つを含む、
ことを特徴とする請求項１７に記載のシステム。
【請求項１９】
前記マルチメディアコンテンツアイテムが、カメラ、電話機、スキャナ、記憶装置、電子メール、ネットワーク、及びコンピュータのうちの少なくとも１つから取得される、
ことを特徴とする請求項１７に記載のシステム。
【請求項２０】
前記マルチメディアコンテンツアイテムが、字幕を加えること、日付を加えること、注釈を加えること、アイテムを切り取ること、アイテムのファイルサイズを減らすこと、及びアイテムの継続時間を減らすことのうちの少なくとも１つによって編集される、
ことを特徴とする請求項１７に記載のシステム。
【請求項２１】
前記定義することが、メタデータを加えること、及びマルチメディアコンテンツアイテムコレクションの構成を指定することの少なくとも一方を含む、
ことを特徴とする請求項１７に記載のシステム。
【請求項２２】
前記メタデータを加えることが、字幕を加えること、日付を加えること、注釈を加えること、自動的に認識された顔に名前を加えることのうちの少なくとも１つを含む、
ことを特徴とする請求項２１に記載のシステム。
【請求項２３】
前記構成を指定することが、特定のマルチメディアコンテンツアイテムを選択すること、添付順を決定すること、転送制約を設定すること、及び宛先制約を定義することのうちの少なくとも１つを含む、
ことを特徴とする請求項２１に記載のシステム。
【請求項２４】
前記グラフィックユーザインターフェイスが、前記マルチメディアコンテンツアイテムをアイコン及びサムネイルの少なくとも一方として示す、
ことを特徴とする請求項１７に記載のシステム。
【請求項２５】
前記マルチメディアコンテンツアイテム及び前記関連アイテム情報が、前記グラフィックユーザインターフェイス内にコレクショントークンによって表される、
ことを特徴とする請求項１７に記載のシステム。
【請求項２６】
前記グラフィックユーザインターフェイスが、タッチスクリーン装置、非ネットワークカメラ、ネットワークカメラ、非ネットワークコンピュータ、及びネットワークコンピュータのうちの少なくとも１つに実装される、
ことを特徴とする請求項１７に記載のシステム。
【請求項２７】
前記グラフィックユーザインターフェイスが、メインステージ、フィルタ領域、コレクション組み立て領域、ユーザ案内領域、持続的状況依存動作ボタン、及び宛先容器付き共有ドックのうちの少なくとも１つを含む特定機能領域を含む、
ことを特徴とする請求項１７に記載のシステム。
【請求項２８】
前記宛先容器が、名前及びロゴの少なくとも一方によって識別される、
ことを特徴とする請求項２７に記載のシステム。
【請求項２９】
前記転送が、マルチメディアコンテンツアイテム及びコレクショントークンの少なくとも一方を宛先容器内に移動させること、並びに時間ベースのトリガ及び接続ベースのトリガの少なくとも一方を定めるユーザが定義した転送制約を選択的に満たすことを含む、
ことを特徴とする請求項１７に記載のシステム。
【請求項３０】
前記宛先が、公的サイト、私的サイト、電子メールアカウント、ソーシャルネットワークサイト、コンテンツ公開サイト、交換サーバ、及びアーカイブのうちの少なくとも１つを含む、
ことを特徴とする請求項１７に記載のシステム。
【請求項３１】
前記宛先が、独自の制約を有する追加の宛先への追加の転送を自動的に管理する交換サーバである、
ことを特徴とする請求項１７に記載のシステム。
【請求項３２】
前記グラフィックユーザインターフェイスを実装するためのコンピュータ実行可能プログラム命令を、第１のコンピュータ装置から第２のコンピュータ装置へ転送するステップをさらに含む、
ことを特徴とする請求項１７に記載のシステム。
【請求項３３】
コンピュータ装置にマルチメディアコンテンツアイテムを自動的に操作して共有させるための非一時的コンピュータ実行可能プログラム命令を有形的に具体化するコンピュータ可読媒体を含むコンピュータプログラム製品であって、前記命令が、
マルチメディアコンテンツアイテムを取得するステップと、
グラフィックユーザインターフェイスのユーザが関連アイテム情報を定義するステップと、
前記マルチメディアコンテンツアイテム及び前記関連アイテム情報を、該関連アイテム情報を保持する選択した宛先に転送するステップと、
を含むことを特徴とするコンピュータプログラム製品。
【請求項３４】
マルチメディアコンテンツアイテムを自動的に操作して共有するためのシステムであって、
マルチメディアコンテンツアイテムを取得する手段と、
グラフィックユーザインターフェイスのユーザが関連アイテム情報を定義する手段と、
前記マルチメディアコンテンツアイテム及び前記関連アイテム情報を、該関連アイテム情報を保持する選択した宛先に転送する手段と、
を備えることを特徴とするシステム。
【発明の詳細な説明】
【技術分野】
【０００１】
〔関連出願との相互参照〕
本出願は、２０１１年５月２５日に出願された米国特許出願第１３／１１５，８２６号、及び２０１０年８月１３日に出願された「デジタル画像及びビデオの操作及び転送」という名称の米国仮特許出願第６１／３７３，５６６号に対する優先権を主張するものであり、これらの特許出願は、米国特許法第１１９条に基づいてその利益が主張されるとともに引用により本明細書にさらに組み入れられる。
【０００２】
本特許文献は、一般にマルチメディアコンテンツを管理することに関し、より詳細には、写真、ビデオ及びその他のマルチメディアコンテンツを操作し、様々なコンピュータサイト及びソーシャルネットワークを介して共有することに関する。
【背景技術】
【０００３】
デジタルカメラがより安価で強力になり、より広く使用されるようになってきている。優れたＳＬＲフィルムカメラに１回にかかるコストよりも安く、高解像度画像及び高精細ビデオを即座に取り込んで大容量記憶装置に記憶することができる。現在市販されているデジタルカメラは、通常、取り込んだ画像及びビデオをその場で見られるようにするためのカラーディスプレイを有する。
【０００４】
ソーシャルネットワークの人気もますます高まってきている。ＹｏｕＴｕｂｅ（商標）、Ｆａｃｅｂｏｏｋ（商標）、Ｐｉｃａｓａ（商標）などのサイト及び／又はサービスにより、ユーザは、インターネットを介してテキスト、画像及びビデオを配信することができる。残念ながら、画像、ビデオ及びその他のマルチメディアコンテンツアイテムの管理は複雑なものとなり得る。これらのアイテムを後でオンラインサイトに転送する場合、各サイトには独自のアプリケーションプログラムインターフェイス（ＡＰＩ）及びアップロードに対する制約があり、しかもこれらは時間とともに変化することがあるので、ユーザはさらに苛立ち及び苦痛を感じることがある。
【０００５】
コンテンツを管理して共有したいと望む人々は、異なる潜在的市場区分に分けることができる。例えば、「習慣的共有者（ｈａｂｉｔｕａｌ  ｓｈａｒｅｒｓ）」は、友人と「瞬間を共有する」ために、又は自分たちが行った何かを見せつけるために、単純さ及びスピードを望む。彼らの写真は一時的なものであり、「邪魔にならない」ソフトウェアを使用してソーシャルネットワークを介して素早く楽に共有することを目的としている。対照的に、「家族歴史家（ｆａｍｉｌｙ  ｈｉｓｔｏｒｉａｎｓ）」は、本格的な企画のための十分なコンテンツ管理ツールの洗練さを望む。一般にこのグループは、重要なイベントの掛け替えのない思い出を取り込み、編成し、基本的に永遠に保存して、これらを個人的に追体験又は送信することに興味がある。
【発明の概要】
【発明が解決しようとする課題】
【０００６】
これらのユーザグループは、いずれもコンテンツアイテムに注釈を付けて、プレゼンテーション又はコレクションに組み立てたいと望むが、元々のマルチメディアコンテンツアイテムを修正することは好まない。代わりに、元々のアイテムにリンクされ、アイテムとともに転送して相関付けて表示する追加の題材を提供したいと思う。両ユーザグループは、後でコンピュータでのやりとりを必要とすることに比べ、デジタルカメラを使用してこれらのタスクを直接行える場合には、そのようにすることを好むこともある。この結果、写真、ビデオ及びその他のコンテンツを容易に自動的に操作し、様々なコンピュータサイト及びソーシャルネットワークを介して共有するためのカメラ内蔵ツールが必要とされている。
【課題を解決するための手段】
【０００７】
本明細書では、マルチメディアコンテンツアイテムを自動的に操作して共有するためのシステム、方法及びコンピュータプログラム製品を開示し、これについて特許請求する。例示的な実施形態は、マルチメディアコンテンツアイテムを取得して、ユーザがこれらのアイテムに関連する情報を定義できるようにするグラフィックユーザインターフェイスを表示する。その後、これらのマルチメディアコンテンツアイテム及び関連アイテム情報を、関連アイテム情報を保持する選択した宛先に転送する。マルチメディアコンテンツアイテムは、テキストファイル、写真、ビデオ、オーディオファイル、ＨＴＭＬファイル、混合メディア表現、ＰＤＦ文書、実行可能プログラムファイル、データベースファイル、又は当業で公知のその他のコンテンツアイテム及びこれらの組み合わせを含むことができる。マルチメディアコンテンツアイテムは、カメラ、電話機、スキャナ、記憶装置、電子メール、ネットワーク、コンピュータ、又は当業で公知のその他のコンテンツソースから入力又は取得することができる。
【０００８】
実施形態又は人間のユーザは、字幕、日付及び注釈を加えることにより、又はアイテムを切り取ること、アイテムのファイルサイズを減らすこと、ビデオ又は表示タイプのアイテムの継続時間を減らすことにより、元々のマルチメディアコンテンツアイテムを編集することができる。実施形態又は人間のユーザは、メタデータを加えること、又はマルチメディアコンテンツアイテムコレクションの構成を指定することもできる。メタデータを加えることは、元々のマルチメディアコンテンツアイテムは保持するが、表示中にその修正を制御する追加情報を提供することを含み、上述したように、このような修正は、字幕、日付及び注釈を加えること、並びに自動的に認識された顔の画像に名前を加えることを含むことができる。コレクションの構成は、特定のマルチメディアコンテンツアイテムを選択すること、添付順を決定すること、転送制約を設定すること、及び宛先制約を定義することを含むことができる。
【０００９】
実施形態は、マルチメディアコンテンツアイテム及び関連アイテム情報をグラフィックユーザインターフェイス内に、アイコン、サムネイル又はコレクショントークンによって表すことができる。グラフィックユーザインターフェイスは、各々ネットワーク接続可能なタッチスクリーン装置、カメラ、又はコンピュータ上に実装することができる。グラフィックユーザインターフェイスは、メインステージ、フィルタ領域、コレクション組み立て領域、ユーザ案内領域、持続的状況依存動作ボタン、及び宛先容器付き共有ドックなどの特定機能領域を含むことができる。
【００１０】
マルチメディアコンテンツアイテム又はコレクション及び関連アイテム情報の転送は、マルチメディアコンテンツアイテム又はコレクショントークンをグラフィックユーザインターフェイス上の宛先容器内に移動させることを含む。この宛先容器は、ユーザが名前又はロゴを含むラベルを組み込むことによって容易に識別することができる。転送は、ユーザが定義した転送制約に従って、即時に行うことも、或いは所定の時間にわたって又は接続が行われるまで遅延させることもできる。指定される宛先は、公的又は私的なサイト、電子メールアカウント、ソーシャルネットワークサイト、コンテンツ公開サイト、交換サーバ、及びアーカイブを含むことができる。
【００１１】
１つの実施形態では、宛先が、独自の宛先制約を有する追加の宛先への追加の転送を自動的に管理する交換サーバである。このようにして、所定のマルチメディアコンテンツ管理ツールが、転送の詳細の管理を交換サーバに委ね、この交換サーバが、その動作を変化する宛先制約に従って動的に更新することができる。別の実施形態では、グラフィックユーザインターフェイスを実装するためのコンピュータ実行可能プログラム命令を、第１のコンピュータ装置から第２のコンピュータ装置へ転送することができる。このようにして、マルチメディアコンテンツ及びマルチメディアコンテンツ管理ツールの両方を移植可能にすることができる。
【００１２】
以下でより詳細に説明するように、開示する実施形態の装置及び処理は、マルチメディアコンテンツアイテムの自動管理及び共有を可能にする。様々な実施形態を一例として示す以下の詳細な説明及び図面に照らせば、関連技術の当業者には、本明細書に開示する装置及び方法のさらなる態様、目的、望ましい特徴及び利点がより良く理解され明らかになるであろう。しかしながら、図面は例示目的で示すものにすぎず、本発明の限定を定めるものとして意図するものではないと明確に理解されたい。
【図面の簡単な説明】
【００１３】
【図１Ａ】デジタルカメラに基づく実施形態の実装を示す図である。
【図１Ｂ】デジタルカメラに基づく実施形態の実装を示す図である。
【図２】実施形態によるグラフィックユーザインターフェイスを示す図である。
【図３】実施形態による、複数のマルチメディアコンテンツアイテムをコレクションに組み立てることを示す図である。
【図４】実施形態による、顔認識を含むグラフィックユーザインターフェイスを示す図である。
【図５】実施形態による、ビデオ管理を含むグラフィックユーザインターフェイスを示す図である。
【図６】実施形態のフローチャートを示す図である。
【発明を実施するための形態】
【００１４】
ここで図１Ａ及び図１Ｂを参照すると、デジタルカメラに基づく本発明の実施形態の実装例を示している。実装は、スマートフォンなどの別のタッチスクリーン装置上に行っても、又はコンピュータ（図示せず）上に行ってもよい。実施形態のハードウェア部分は、ネットワーク化することもできる。
【００１５】
図１Ａに示すように、デジタルカメラ１００はディスプレイ１０２を含み、このディスプレイ１０２には、取り込んだ画像、並びに重ね合わせたアイコン及びユーザが提供するラベル１０４が示される。このラベルは、表示中に画像と一体化されるソフトウェアタグであるが、取り込んだ画像ファイル自体を、ラベルを含むように編集してもよいし、又はしなくてもよい。従って、このソフトウェアタグは、コンテンツアイテムに関連する情報の一例であり、これをアイテムとリンクさせてメタデータとして含めることができる。このカメラは、画像又はビデオの共有１０６及び廃棄１０８用のアイコンも有する。
【００１６】
図１Ｂに示すように、共有アイコンを選択すると、共有のためのグラフィックユーザインターフェイス１１０が表示される。チェックボックス１１２を個別に選択して、ソーシャルネットワークサイト／サービス（ＹｏｕＴｕｂｅ（商標）、Ｆａｃｅｂｏｏｋ（商標）、Ｐｉｃａｓａ（商標）など）又は予め定めた電子メールアカウント（おじいちゃん、家族、友人、Ｊｏｈｎなど）を含む特定の宛先１１４とのコンテンツの共有を可能にすることができる。この宛先は、図示のように名前、サムネイル及びロゴを付けることによって識別することができる。
【００１７】
さらに、カメラの起動時に説明ムービー（図示せず）を再生して、ユーザがカメラの機能を理解するのを助けることもできる。画像を素早く取得できるように、起動は１秒未満で行われるべきであることが好ましい。このカメラのメーカーが製造する異なる製品間で共通のルック＆フィールを使用することによってもユーザの混乱が減ると思われる。このカメラは、例えばＳｏｎｙ（登録商標）社のＢｌｏｇｇｉｅ  Ｔｏｕｃｈ（商標）製品とすることができる。
【００１８】
ここで図２を参照すると、実施形態によるグラフィックユーザインターフェイス２００を示している。この実施形態は、図１Ａ及び図１Ｂに示したものよりも洗練されており、複数のマルチメディアコンテンツアイテムを同時に処理することができる。これらのコンテンツアイテムは、例えば、テキストファイル、写真、ビデオ、オーディオファイル、ＨＴＭＬファイル、混合メディア表現、ＰＤＦ文書、実行可能プログラムファイル、又はデータベースファイルを含むことができる。これらのコンテンツアイテムは、例えば、カメラ、電話機、スキャナ、記憶装置、電子メール、ネットワーク、又はコンピュータなどから入力又は取得することができる。
【００１９】
このグラフィックユーザインターフェイスは複数の機能を有し、次にこれらについて説明する。従来のグラフィックユーザインターフェイスとは異なり、このインターフェイスはタッチスクリーン装置とともに使用できるので、従来のポインティングデバイスとともに使用するような従来のメニューバーもファイルフォルダも存在しない。取り消しボタン２０２は、ウェブブラウザのユーザにはよく知られているように、動作の取り消しを可能にする。やり直しボタン（図示せず）を実装することもできる。検索バー２０４は、ユーザからの検索語を受け入れて、例えばメタデータを検索することなどにより、関連するマルチメディアコンテンツアイテムの識別を助ける。表示バー２０６内の表示選択ボタンは、ユーザがマルチメディアコンテンツアイテムを一度に１つずつ、一度に２つずつ、リストの形で、又はサムネイルのグリッドの形で見られるようにする。スライドバー２０８は、ユーザが表示アイテムをナビゲートできるようにする。
【００２０】
グラフィックユーザインターフェイスは、メインステージ２１０、フィルタ領域２１２、コレクション組み立て領域２１４、ユーザ案内領域２１６、持続的状況依存動作ボタン２１８及び宛先容器付き共有ドック２２０を含む特定機能領域をさらに有する。メインステージは、マルチメディアコンテンツアイテムを表すアイコン又はサムネイルが表示されて閲覧及び操作のために配置される一次中央表示領域である。アイテムは、直接取得によって、或いは例えばメモリ、又は装着された又はネットワーク接続された装置からのインポートによってメインステージ内にもたらされる。
【００２１】
「音声」領域とも呼ばれるユーザ案内領域内に取扱説明書を表示させるためのヘルプアイコン２２２も設けられる。音声領域は、どのように進めるか、（メタデータの表示又は編集などの）現在どのようなオプションが利用可能かに関する重要な情報及び役立つヒントを提供し、ユーザを手引きするためのモデルダイアログ又はウィザードを提供する。メインステージは、「音声」領域の動作に応じてサイズ変更することができ、すなわち必要に応じて音声領域のスペースを一時的に大きくとることができる。フィルタ領域は、メインステージ内のコンテンツアイテムに適用できる複数のフィルタタブを含み、従ってユーザは、例えば「最後に見たアイテム」又は「最後にインポートしたアイテム」又は「ゴミ箱の中身」などの所望のフィルタ基準を満たすアイテムを識別することができる。アイテムのメタデータコンテンツに基づいてアイテムを選択することもできる。
【００２２】
ユーザにどのような一次動作が利用可能であるかを示すための持続的状況依存動作ボタンも設けられる。これらの動作は、例えばインターフェイスの最下部において利用可能であるとともに状況に依存し、すなわちユーザの動作に基づいて変化して、現在操作可能なコマンドを示す。宛先容器付き共有ドックは、この例示的な実施形態ではインターフェイスの最上部に表示される。宛先容器は、アイコンフォルダを表す容易にアクセス可能なアイコンであり、この中にはマルチメディアコンテンツアイテムを記憶することができる。容器には、対応する宛先をユーザが容易に認識できるように、名前又はロゴを含むラベルを付けることができる。
【００２３】
例えばドラッグ＆ドロップなどによって容器に入れられたアイテム又はアイテムのコレクションは、選択した宛先と共有するための待ち行列に入れられ、従ってユーザは、過去の又はペンディング中の転送を見ることができる。これらの宛先は、例えば、公的な又は私的なサイト、電子メールアカウント、ソーシャルネットワークサイト、コンテンツ公開サイト、交換サーバ及びアーカイブを含むことができる。宛先への転送は、直ちに、コンピュータ又はその他の装置とのドッキング時に、ユーザが指定した遅延後に、ユーザコマンドに応答して、又はその他の所定の転送条件が満たされたことに応答して行うことができる。ユーザは、「後で共有」ボタン（図示せず）を選択することにより、転送するアイテムを出力バッファに単純に記憶することができる。
【００２４】
ここで図３を参照すると、実施形態による、複数のマルチメディアコンテンツアイテム３００をコレクション（又は「セット」３０２）に組み立てることを示している。ユーザは、メインステージ内に示される１又はそれ以上のアイテムを選択し、これらをその他のアイテムとともに（アルバム又は巻とも呼ばれる）コレクションに組み立てるためのコレクション組み立て（又は「粘着性」）領域に移動させることができる。従来のインターフェイスでは、選択中に制御ボタンを押下することにより、又はタッチスクリーンインターフェイスでは、同等の機能コマンドにより、複数のアイテムを選択することができる。次に、これらのアイテムを、コレクションに追加するものとして適所にドラッグ＆ドロップすることができる。コレクションが終了すると、これを宛先容器内にドラッグ＆ドロップして転送の待ち行列に入れることができる。
【００２５】
ここで図４を参照すると、実施形態による、顔認識を含むグラフィックユーザインターフェイス４００を示している。マルチメディアコンテンツアイテムに顔認識処理を行って、アイテムに関連するメタデータ内で、画像又はビデオ内で検出された人物に自動的に気付くようにすることができる。実施形態は、アイテムの中にこれまで認識されていない人物４０２を特徴として含むものがあると判断し、ユーザにこの人物の名前４０４を選択的に促すことができる。また、この認識されていない人物を含むアイテム４０６を、インターフェイス内で強調表示することができる。
【００２６】
この実施形態には、グラフィックユーザインターフェイスが、マルチメディアコンテンツアイテム間の関係をより明確に定義できる機能を提供することも示している。ユーザが、メインステージ内で１つのアイテム４１０を選択した後に別のアイテム４０８した場合、インターフェイスは、各選択したアイテムを強調表示してこれらを線で結び、コレクショントークン４１２として機能する持続的なワイヤフレーム又は布置を形成する。このトークンは、アイテム間の関係の視覚表現であり、すなわちこれらのアイテムはグループ化され、これらをコレクションに割り当てた順番に対応する表示順になっている。この概念は、糸でビーズをつなぐことに類似する。その後、単一のアイテムを操作するとトークンを操作することができ、すなわち転送の準備が整うと、注釈を付けて宛先容器にドラッグすることができる。従って、ユーザは、同じようにして同時にあらゆるグループとコレクションを共有することができる。これにより、コレクションを操作して様々な宛先と共有する処理が大幅に単純化される。
【００２７】
各宛先は、独自の共有スキームを有していることがあり、これにより混乱が生じてユーザの多大な関与が必要となる可能性がある。この問題に対処するために、実施形態は、独自の宛先制約を有する追加の宛先への追加の転送を自動的に管理する交換サーバを含むことができる。このようにして、所定のマルチメディアコンテンツ管理ツールは、転送の詳細についての管理を交換サーバに委ね、この交換サーバが、その動作を変化する宛先制約に従って動的に更新することができる。この交換サーバは、Ｓｏｎｙ（登録商標）社のＰｅｒｓｏｎａｌ  Ｓｐａｃｅ（商標）製品を含むことができる。
【００２８】
実施形態は、共通インターフェイスを使用して交換サーバと通信することにより、交換サーバから制約管理及び公開処理をオフロードすることができる。ソーシャルネットワークサイト及びウェブ公開サービスは、これらの制約を定期的に変更するが、特定のインターフェイスを特徴として備えるデジタルカメラを手動更新することは、そのカメラが古いものにならないようにするために避けることが望ましい。交換サーバは、国ごとに又はサービスの人気ごとにサービスを変更又はオン／オフすることもできる。
【００２９】
別の実施形態では、グラフィックユーザインターフェイスを実装するためのコンピュータ実行可能プログラム命令を、第１のコンピュータ装置から第２のコンピュータ装置へ転送することができる。従って、マルチメディアコンテンツ及びマルチメディアコンテンツ管理ツールの両方をともに転送することができる。
【００３０】
ここで図５を参照すると、実施形態による、ビデオ管理を含むグラフィックユーザインターフェイス５００を示している。ユーザは、６つのビデオのコレクションの所望の（従って強調表示された）宛先５０２として、例えばＹｏｕＴｕｂｅ（商標）を選択している。ＹｏｕＴｕｂｅ（商標）は、アップロードの継続時間を制限する宛先制約を有する。従って、この実施形態は、コンテンツアイテムが長すぎて制約に違反することに留意する。この実施形態は、コンテンツアイテムの継続時間又はファイルサイズを減少させるとともに、ユーザが指定した日付又はその他の注釈を追加し、或いはコンテンツアイテムを切り取り又はさらに圧縮して宛先制約を満たすようにする。
【００３１】
ここで図６を参照すると、実施形態の処理６００のフローチャートを示している。手短に言えば、ユーザは、ステップ６０２において、この実施形態にマルチメディアコンテンツアイテムを取得又はインポートするように指示する。次に、実施形態は、ステップ６０４においてコンテンツアイテムを表示することができる。次に、ユーザは、ステップ６０６において、これらのコンテンツアイテムを望むようにフィルタ処理することができる。ユーザは、ステップ６０８においてコンテンツアイテムを編集し、又はこれらに注釈を付けることができる。実施形態は、ステップ６１０において、ユーザのコンテンツアイテムのコレクションを組み立て、その後ステップ６１２において、このコレクションを転送する宛先に割り当てることができる。その後、実施形態は、ステップ６１４において指定通りにコレクションを転送することができる。
【００３２】
本明細書で使用する「１つの（英文不定冠詞）」という用語は、１又は１よりも多くを意味するものとする。「複数の」という用語は、２又は２よりも多くを意味するものとする。「別の」という用語は、第２の又はそれ以上の、と定義される。「含む（ｉｎｃｌｕｄｉｎｇ）」及び／又は「有する（ｈａｖｉｎｇ）」という用語には（備える（ｃｏｍｐｒｉｓｉｎｇ）と同様に）制限がない。本明細書を通じて、「１つの実施形態」、「いくつかの実施形態」、「ある実施形態」、又は同様の用語への言及は、実施形態に関連して説明する特定の特徴、構造又は特性が少なくとも１つの実施形態に含まれることを意味する。従って、本明細書を通じて至るところに出現するこのような語句は、必ずしも全てが同じ実施形態について言及するものではない。さらに、上記の特定の特徴、構造又は特性を、１又はそれ以上の実施形態にあらゆる好適な態様で制限なく組み合わせることができる。本明細書で使用する「又は」という用語は包括的なものとして解釈すべきであり、すなわちいずれか１つ又はあらゆる組み合わせを意味する。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組み合わせが何らかの点で本質的に互いに相容れない場合にのみ生じる。
【００３３】
コンピュータプログラミングの当業者の手法に従って、以下、コンピュータシステム又は同様の電子システムにより実行される動作を参照しながら実施形態について説明する。このような動作を、コンピュータ実行型と呼ぶこともある。符号で表される動作としては、中央処理装置などのプロセッサによるデータビットを表す電気信号の操作、及びシステムメモリ内などの記憶場所におけるデータビットの保持、並びにその他の信号の処理が挙げられると理解されよう。データビットを保持する記憶場所とは、データビットに対応する特定の電気的、磁気的、光学的、又は有機的特性を有する物理的場所のことである。
【００３４】
ソフトウェアの形で実装される場合、基本的に本発明の要素は、必要なタスクを行うためのコードセグメントである。この非一時的コードセグメントを、情報を記憶又は転送できるあらゆる媒体を含むことができるプロセッサ可読媒体又はコンピュータ可読媒体に記憶することができる。このような媒体の例として、電子回路、半導体メモリ素子、読み出し専用メモリ（ＲＯＭ）、フラッシュメモリ又はその他の不揮発性メモリ、フロッピーディスケット、ＣＤ−ＲＯＭ、光ディスク、ハードディスク、光ファイバ媒体、無線周波数（ＲＦ）リンクなどが挙げられる。ユーザ入力は、キーボード、マウス、タッチスクリーン、音声コマンド入力などのあらゆる組み合わせを含むことができる。同様にユーザ入力を使用して、ユーザのコンピュータ装置上で実行されるブラウザアプリケーションを、コンピューティングリソースにアクセスできるウェブページなどの１又はそれ以上のネットワークリソースに向けることもできる。
【００３５】
具体例及び様々な実施形態に関連して本発明を説明したが、当業者であれば、以下で特許請求する本発明の思想及び範囲から逸脱することなく、本明細書で説明した自動マルチメディアコンテンツアイテム管理及び共有ツールの多くの修正及び適合化が可能であることを容易に理解するはずである。従って、本出願はほんの一例として行うものであり、以下で特許請求する本発明の範囲を限定するものではないと明確に理解されたい。本説明は、一般に本発明の原理に従う、及び本開示からのこのような逸脱を、本発明に関連する技術でもう少しで知られて慣行となるものとして含む本発明のあらゆる変形例、使用法又は適合化をカバーするように意図されている。
【図１Ａ】
2013543606.tif 000002
【図１Ｂ】
2013543606.tif 000003
【図２】
2013543606.tif 000004
【図３】
2013543606.tif 000005
【図４】
2013543606.tif 000006
【図５】
2013543606.tif 000007
【図６】
2013543606.tif 000008
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
マルチメディアコンテンツアイテムを自動的に操作して共有する、コンピュータによる実施方法であって、
マルチメディアコンテンツアイテムを取得するステップと、
グラフィックユーザインターフェイスのユーザが関連アイテム情報を定義するステップと、
前記マルチメディアコンテンツアイテム及び前記関連アイテム情報を、該関連アイテム情報を保持する選択した宛先に転送するステップと、
を含むことを特徴とする方法。
【請求項２】
前記マルチメディアコンテンツアイテムが、テキストファイル、写真、ビデオ、オーディオファイル、ＨＴＭＬファイル、混合メディア表現、ＰＤＦ文書、実行可能プログラムファイル、及びデータベースファイルのうちの少なくとも１つを含む、
ことを特徴とする請求項１に記載の方法。
【請求項３】
前記マルチメディアコンテンツアイテムが、カメラ、電話機、スキャナ、記憶装置、電子メール、ネットワーク、及びコンピュータのうちの少なくとも１つから取得される、
ことを特徴とする請求項１に記載の方法。
【請求項４】
前記マルチメディアコンテンツアイテムを、字幕を加えること、日付を加えること、注釈を加えること、アイテムを切り取ること、アイテムのファイルサイズを減らすこと、及びアイテムの継続時間を減らすことのうちの少なくとも１つによって編集するステップをさらに含む、
ことを特徴とする請求項１に記載の方法。
【請求項５】
前記定義するステップが、メタデータを加えるステップ、及びマルチメディアコンテンツアイテムコレクションの構成を指定するステップの少なくとも一方を含む、
ことを特徴とする請求項１に記載の方法。
【請求項６】
前記メタデータを加えるステップが、字幕を加えるステップ、日付を加えるステップ、注釈を加えるステップ、自動的に認識された顔に名前を加えるステップのうちの少なくとも１つを含む、
ことを特徴とする請求項５に記載の方法。
【請求項７】
前記構成を指定するステップが、特定のマルチメディアコンテンツアイテムを選択するステップ、添付順を決定するステップ、転送制約を設定するステップ、及び宛先制約を定義するステップのうちの少なくとも１つを含む、
ことを特徴とする請求項５に記載の方法。
【請求項８】
前記グラフィックユーザインターフェイスが、前記マルチメディアコンテンツアイテムをアイコン及びサムネイルの少なくとも一方として示す、
ことを特徴とする請求項１に記載の方法。
【請求項９】
前記マルチメディアコンテンツアイテム及び前記関連アイテム情報が、前記グラフィックユーザインターフェイス内にコレクショントークンによって表される、
ことを特徴とする請求項１に記載の方法。
【請求項１０】
前記グラフィックユーザインターフェイスが、タッチスクリーン装置、非ネットワークカメラ、ネットワークカメラ、非ネットワークコンピュータ、及びネットワークコンピュータのうちの少なくとも１つに実装される、
ことを特徴とする請求項１に記載の方法。
【請求項１１】
前記グラフィックユーザインターフェイスが、メインステージ、フィルタ領域、コレクション組み立て領域、ユーザ案内領域、持続的状況依存動作ボタン、及び宛先容器付き共有ドックのうちの少なくとも１つを含む特定機能領域を含む、
ことを特徴とする請求項１に記載の方法。
【請求項１２】
前記宛先容器が、名前及びロゴの少なくとも一方によって識別される、
ことを特徴とする請求項１１に記載の方法。
【請求項１３】
前記転送するステップが、マルチメディアコンテンツアイテム及びコレクショントークンの少なくとも一方を宛先容器内に移動させるステップと、時間ベースのトリガ及び接続ベースのトリガの少なくとも一方を定めるユーザが定義した転送制約を選択的に満たすステップとを含む、
ことを特徴とする請求項１に記載の方法。
【請求項１４】
前記宛先が、公的サイト、私的サイト、電子メールアカウント、ソーシャルネットワークサイト、コンテンツ公開サイト、交換サーバ、及びアーカイブのうちの少なくとも１つを含む、
ことを特徴とする請求項１に記載の方法。
【請求項１５】
前記宛先が、独自の制約を有する追加の宛先への追加の転送を自動的に管理する交換サーバである、
ことを特徴とする請求項１に記載の方法。
【請求項１６】
前記グラフィックユーザインターフェイスを実装するためのコンピュータ実行可能プログラム命令を、第１のコンピュータ装置から第２のコンピュータ装置へ転送するステップをさらに含む、
ことを特徴とする請求項１に記載の方法。
【請求項１７】
マルチメディアコンテンツアイテムを自動的に操作して共有するためのシステムであって、
入力されたマルチメディアコンテンツアイテムを取得するコンピュータ装置と、
ユーザが関連アイテム情報を定義するためのグラフィックユーザインターフェイスと、
前記マルチメディアコンテンツアイテム及び前記関連アイテム情報を、該関連アイテム情報を保持する選択した宛先に転送するためのネットワーク接続と、
を備えることを特徴とするシステム。
【請求項１８】
前記マルチメディアコンテンツアイテムが、テキストファイル、写真、ビデオ、オーディオファイル、ＨＴＭＬファイル、混合メディア表現、ＰＤＦ文書、実行可能プログラムファイル、及びデータベースファイルのうちの少なくとも１つを含む、
ことを特徴とする請求項１７に記載のシステム。
【請求項１９】
前記マルチメディアコンテンツアイテムが、カメラ、電話機、スキャナ、記憶装置、電子メール、ネットワーク、及びコンピュータのうちの少なくとも１つから取得される、
ことを特徴とする請求項１７に記載のシステム。
【請求項２０】
前記マルチメディアコンテンツアイテムが、字幕を加えること、日付を加えること、注釈を加えること、アイテムを切り取ること、アイテムのファイルサイズを減らすこと、及びアイテムの継続時間を減らすことのうちの少なくとも１つによって編集される、
ことを特徴とする請求項１７に記載のシステム。
【請求項２１】
前記定義することが、メタデータを加えること、及びマルチメディアコンテンツアイテムコレクションの構成を指定することの少なくとも一方を含む、
ことを特徴とする請求項１７に記載のシステム。
【請求項２２】
前記メタデータを加えることが、字幕を加えること、日付を加えること、注釈を加えること、自動的に認識された顔に名前を加えることのうちの少なくとも１つを含む、
ことを特徴とする請求項２１に記載のシステム。
【請求項２３】
前記構成を指定することが、特定のマルチメディアコンテンツアイテムを選択すること、添付順を決定すること、転送制約を設定すること、及び宛先制約を定義することのうちの少なくとも１つを含む、
ことを特徴とする請求項２１に記載のシステム。
【請求項２４】
前記グラフィックユーザインターフェイスが、前記マルチメディアコンテンツアイテムをアイコン及びサムネイルの少なくとも一方として示す、
ことを特徴とする請求項１７に記載のシステム。
【請求項２５】
前記マルチメディアコンテンツアイテム及び前記関連アイテム情報が、前記グラフィックユーザインターフェイス内にコレクショントークンによって表される、
ことを特徴とする請求項１７に記載のシステム。
【請求項２６】
前記グラフィックユーザインターフェイスが、タッチスクリーン装置、非ネットワークカメラ、ネットワークカメラ、非ネットワークコンピュータ、及びネットワークコンピュータのうちの少なくとも１つに実装される、
ことを特徴とする請求項１７に記載のシステム。
【請求項２７】
前記グラフィックユーザインターフェイスが、メインステージ、フィルタ領域、コレクション組み立て領域、ユーザ案内領域、持続的状況依存動作ボタン、及び宛先容器付き共有ドックのうちの少なくとも１つを含む特定機能領域を含む、
ことを特徴とする請求項１７に記載のシステム。
【請求項２８】
前記宛先容器が、名前及びロゴの少なくとも一方によって識別される、
ことを特徴とする請求項２７に記載のシステム。
【請求項２９】
前記転送が、マルチメディアコンテンツアイテム及びコレクショントークンの少なくとも一方を宛先容器内に移動させること、並びに時間ベースのトリガ及び接続ベースのトリガの少なくとも一方を定めるユーザが定義した転送制約を選択的に満たすことを含む、
ことを特徴とする請求項１７に記載のシステム。
【請求項３０】
前記宛先が、公的サイト、私的サイト、電子メールアカウント、ソーシャルネットワークサイト、コンテンツ公開サイト、交換サーバ、及びアーカイブのうちの少なくとも１つを含む、
ことを特徴とする請求項１７に記載のシステム。
【請求項３１】
前記宛先が、独自の制約を有する追加の宛先への追加の転送を自動的に管理する交換サーバである、
ことを特徴とする請求項１７に記載のシステム。
【請求項３２】
前記グラフィックユーザインターフェイスを実装するためのコンピュータ実行可能プログラム命令を、第１のコンピュータ装置から第２のコンピュータ装置へ転送するステップをさらに含む、
ことを特徴とする請求項１７に記載のシステム。
【請求項３３】
コンピュータ装置にマルチメディアコンテンツアイテムを自動的に操作して共有させるための非一時的コンピュータ実行可能プログラム命令を有形的に具体化するコンピュータ可読媒体であって、前記命令が、
マルチメディアコンテンツアイテムを取得するステップと、
グラフィックユーザインターフェイスのユーザが関連アイテム情報を定義するステップと、
前記マルチメディアコンテンツアイテム及び前記関連アイテム情報を、該関連アイテム情報を保持する選択した宛先に転送するステップと、
を含むことを特徴とするコンピュータ可読媒体。
【請求項３４】
マルチメディアコンテンツアイテムを自動的に操作して共有するためのシステムであって、
マルチメディアコンテンツアイテムを取得する手段と、
グラフィックユーザインターフェイスのユーザが関連アイテム情報を定義する手段と、
前記マルチメディアコンテンツアイテム及び前記関連アイテム情報を、該関連アイテム情報を保持する選択した宛先に転送する手段と、
を備えることを特徴とするシステム。
【国際調査報告】
2013543606.tif 000009
2013543606.tif 000010